(57)【特許請求の範囲】
【請求項１】
シートベルトリトラクタとフレーム上部にシートベルトガイドを有するシートバックの内部に設けられるフレーム構造体であって、シートバックの下部のシート幅方向一端側に位置する第１支持点から上方のシートベルトガイド設置部に向けて斜行して延びる斜行フレームと、シートバックの下部のシート幅方向他端側に位置する第２支持点から上方に向けて延び上端が前記斜行フレームに接続された縦フレームとからなる構造に構成されており、前記斜行フレームが、シート前後方向に前側に位置する第１フレームと後側に位置する第２フレームとからなることを特徴とするシートバック用フレーム構造体。
【請求項２】
さらに、前記縦フレームから前記斜行フレームまで延びる補強フレームを有する、請求項１に記載のシートバック用フレーム構造体。
【請求項３】
前記第１フレームと第２フレームのそれぞれに対し、前記縦フレームから前記斜行フレームまで延びる補強フレームを有する、請求項１または２に記載のシートバック用フレーム構造体。
【請求項４】
前記第１フレーム、第２フレームおよび縦フレームのそれぞれの剛性は、前記補強フレームの剛性よりも高い、請求項３に記載のシートバック用フレーム構造体。
【請求項５】
前記第１フレーム、第２フレーム、縦フレームおよび補強フレームの剛性の中で第１フレームの剛性が最も高い、請求項３または４に記載のシートバック用フレーム構造体。
【請求項６】
前記第１フレームは、シート側方からみてシート前方向に凸状に湾曲している、請求項１〜５のいずれかに記載のシートバック用フレーム構造体。
【請求項７】
前記第１フレームと第２フレームは、延設方向中間位置よりも上方位置で一本の斜行フレームに合一している、請求項１〜６のいずれかに記載のシートバック用フレーム構造体。
【請求項８】
前記それぞれの補強フレームは、前記第１フレームおよび第２フレームに対しそれぞれの延設方向中間位置よりも上方位置で接続されている、請求項３に記載のシートバック用フレーム構造体。
【請求項９】
少なくとも一部が樹脂で構成されている、請求項１〜８のいずれかに記載のシートバック用フレーム構造体。
【請求項１０】
少なくとも一部が繊維強化樹脂で構成されている、請求項１〜９のいずれかに記載のシートバック用フレーム構造体。
【請求項１１】
斜行フレームの少なくとも一部が繊維強化樹脂で構成されている、請求項１０に記載のシートバック用フレーム構造体。
【請求項１２】
少なくとも一部の表面部に、一方向に配列された強化繊維を有する繊維強化樹脂製テープが貼設されている、請求項１〜１１のいずれかに記載のシートバック用フレーム構造体。
【請求項１３】
可倒式のシートバックの内部に設けられる、請求項１〜１２のいずれかに記載のシートバック用フレーム構造体。
【発明の詳細な説明】
【技術分野】
【０００１】
本発明は、車両のシートバック用フレーム構造体に関し、とくに、車両前方に向けて加わる荷重に対して高剛性であり、かつ軽量構造を達成可能なシートバック用フレーム構造体に関する。
【背景技術】
【０００２】
車両のシートバックにおけるクッション体の内部には、シートバックに必要な強度や剛性を持たせるために、通常、シートバック用フレーム構造体が内包されている。シートバックの強度や剛性を向上するための改良は、従来から種々提案されている。【０００３】
特許文献１には、補強リブが一体成形された中空状で面状の樹脂フレーム体と、第１、第２の金属フレーム体とを組み合わせて、フレーム構造体の強度、剛性を向上させるようにした構造が開示されている。特許文献２には、板状のフレーム骨格本体の両側部に、上下方向に延びる凸条補強部を形成した繊維強化樹脂製のフレーム構造体が開示されている。これらは、シートバック全体の固定強度の向上や、四角形状のシートバック用フレーム構造体の強度や剛性を向上させるようにしたものである。【０００４】
一方、シートバック用フレーム構造体には、車体フレームからではなく、シートフレームにシートベルトリトラクタおよびシートベルトガイド（あるいはシートベルトアンカと呼ぶ場合もある）が取り付けられたものもある。特許文献３には、そのようなシートフレーム構造体において、シートバックの枠状フレームへのシートベルトリトラクタの取付強度を向上するようにした構造が開示されている。
【先行技術文献】
【特許文献】
【０００５】
【特許文献１】特開２００６−８１６７６号公報
【特許文献２】特開２００５−１９４号公報
【特許文献３】特開平１０−１２９４１６号公報
【特許文献４】特開２０００−６６９６号公報
【発明の概要】
【発明が解決しようとする課題】
【０００６】
シートベルトリトラクタをシートフレームに取り付けたシートバック用フレーム構造体においては、シートベルトリトラクタとシートベルトガイドは、通常、シートバックの車両幅方向のいずれか一方寄りに、特にシートベルトガイドはフレーム上部の位置に設けられる。シートベルトはシートベルトリトラクタよりシートベルトガイドを介して斜めに襷がけするよう乗員を支持するため、車両衝突時などには乗員の前方移動により、フレーム構造体にはシートベルトガイドの設置部を起点とした前方あるいは前方斜め方向の荷重が加わることになる。そのため、シートバック用フレーム構造体はこれらの荷重による曲げ、さらには捩りの変形に対する剛性を高める必要がある。【０００７】
この剛性向上のために、特許文献１、２には枠状のフレーム構造体全体の強度、剛性を高める方法や、さらに特許文献４にはシートバックの後ろ側に抑止バーを設けてシートバックの前方方向への荷重に対して高い強度を発揮できるようにした構造が開示されている。しかし、これらの構造では剛性・強度向上する上で、フレーム構造体全体の重量の増加を逆に招いたり、期待したほどの軽量化を図ることができない場合がある。【０００８】
従来技術においては、上記のようなシートベルトガイドを介してシートバック用フレーム構造体に前方あるいは前方斜め方向にかかる荷重に特に着目してフレーム構造体の剛性向上を目指した提案は見当たらない。【０００９】
そこで本発明の課題は、とくにシートバック用フレーム構造体に前方あるいは前方斜め方向にかかる荷重に着目し、その荷重に対して効果的にフレーム構造体の剛性向上を達成できるとともに、容易にフレーム構造体を軽量化できるようにしたシートバック用フレーム構造体を提供することにある。
【課題を解決するための手段】
【００１０】
上記課題を解決するために、本発明に係るシートバック用フレーム構造体は、シートベルトリトラクタとフレーム上部にシートベルトガイドを有するシートバックの内部に設けられるフレーム構造体であって、シートバックの下部のシート幅方向一端側に位置する第１支持点から上方のシートベルトガイド設置部に向けて斜行して延びる斜行フレームと、シートバックの下部のシート幅方向他端側に位置する第２支持点から上方に向けて延び上端が前記斜行フレームに接続された縦フレームとからなる構造に構成されており、前記斜行フレームが、シート前後方向に前側に位置する第１フレームと後側に位置する第２フレームとからなることを特徴とするものからなる。本発明におけるシートバック用フレーム構造体は、シートバックの内部に設けられてシートバックにかかる荷重を受け止める役目を果たすシートバックの主剛性を担うものである。したがって、シートバックとして、通常設けられるクッション体のための枠体等を有する場合にあっても、その枠体等は本発明に係るシートバック用フレーム構造体とは別物であり、その枠体等の有無にかかわらず、本発明の要件を満たす限り本発明の範囲に含まれる。
【００１１】
このような本発明に係るシートベルトリトラクタを有するシートバック用フレーム構造体においては、フレーム構造体の上部にシートベルトガイドを有するので、例えば、衝突時の衝撃によって乗員が慣性により前方に移動しようとする際に、シートベルトからシートベルトガイドを介して、フレーム構造体に前方あるいは前方斜め方向に荷重がかかる。フレーム構造体は、シートバックの下部のシート幅方向一端側に位置する第１支持点から上方のシートベルトガイドの設置部に向けて斜行して延びる斜行フレームを有するので、この前方あるいは前方斜めにかかる荷重を効率よく受け止められる。従って、斜行フレームの存在によってフレーム構造体の剛性が効果的に高められる。そして、この斜行フレームと、第２支持点から上方に向けて延びる縦フレームのみで構成されているので、フレーム構造体全体としての剛性が、実質的に最も少ないフレーム部材数にて、効率よく高められる。したがって、シートバック用フレーム構造体は斜行フレームの存在によって、シートベルトガイド設置部に加わる前方あるいは前方斜めの荷重を高い剛性をもって効果的に受け止めることができるようになり、同時にそれを少ないフレーム部材数にて達成できるためフレーム構造体を軽量化することも容易に実現可能となる。【００１２】
本発明に係るシートバック用フレーム構造体においては、さらに、上記縦フレームから上記斜行フレームまで延びる補強フレームを有する構造とすることもできる。このような補強フレームを設けることにより、フレーム構造体全体としての剛性を一層高めることが可能になり、しかも、斜行フレーム自体の剛性も一層高めることが可能になる。【００１３】
また、上記斜行フレームとしては、１本のフレーム部材から構成することも可能であるが、本発明では、シート前後方向に前側に位置する第１フレームと後側に位置する第２フレームとから構成されている。このように斜行フレームを前後２本のフレーム部材から構成すると、斜行フレーム全体としての剛性を構造的に高く保ちつつ斜行フレーム全体としての重量を軽減することが可能になるとともに、各フレーム部材の主機能を分離することが可能になる。例えば、前側に位置する第１フレームは前方斜め方向の荷重によるフレーム構造体の曲げに対して剛性の寄与度が大きいため、剛性を高く設定しておくことにより、前方あるいは前方斜めの荷重がかかる際にフレーム構造体の曲げ変形を効率よく抑えることができるようになる。
【００１４】
また、上記第１フレームと第２フレームのそれぞれに対し、上記縦フレームから上記斜行フレームまで延びる補強フレームを有する構造を採用することもできる。このように構成すれば、第１フレームと第２フレームの両方の剛性を向上でき、シートバック用フレーム構造体全体としての剛性を極めて高くすることができる。【００１５】
この場合、上記第１フレーム、第２フレームおよび縦フレームのそれぞれの剛性は、上記補強フレームの剛性よりも高いことが好ましい。補強フレームは主として第１フレームと第２フレームの剛性を向上するためのものであるから、補強フレームをあまり高剛性にするとその重量が大きくなるおそれがあり、全体の軽量化の点から、剛性が高すぎることは好ましくない。全体として必要な剛性は、主として、上記第１フレーム、第２フレームと、縦フレームとによる構造によって達成される。【００１６】
また、構造体全体としての軽量化をはかりつつ、前述の斜めにかかる荷重に対するフレーム剛性を効率よく高めるためには、その荷重を主として受け止める第１フレームの剛性を、上記第１フレーム、第２フレーム、縦フレームおよび補強フレームの剛性の中で最も高く設定しておくことが好ましい。【００１７】
また、上記第１フレームに上記荷重をより効果的に受け止める剛性を持たせるために、該第１フレームは、例えば、シート側方からみてシート前方向に凸状に湾曲している構造とすることができる。凸状に湾曲させることで第１フレームのシート前後方向の見かけの断面寸法を大きくすることができるため、重量をとくに増大させることなく効率よくその剛性を増大させる構造である。【００１８】
また、上記第１フレームと第２フレームは、種々の形態を採り得る。例えば、第１フレームと第２フレームが、延設方向中間位置よりも上方位置で一本の斜行フレームに合一している構造を採ることができる。このようにすれば、上記荷重に起因するモーメントがより大きく作用する下部側で第１フレームと第２フレームとの２本のフレーム部材構成として剛性を高め、より小さなモーメントが作用する上部側では、第１フレームと第２フレームの合一構成として軽量化をはかることが可能になる。【００１９】
また、上記第１フレームおよび第２フレームのそれぞれに対して補強フレームが接続される形態においては、各補強フレームが、第１フレームおよび第２フレームに対しそれぞれの延設方向中間位置よりも上方位置で接続されている構造とすることもできる。このようにすることで第１フレームと第２フレームの変形を効果的に抑制することができる。【００２０】
また、本発明に係るシートバック用フレーム構造体においては、軽量化の要請に応えるために、少なくとも一部が樹脂で構成されている構造、好ましくは全体が樹脂で構成されている構造を採用できる。本発明では、斜行フレームと縦フレームのみによる構造を採用しており、少ないフレーム部材数で効率よく剛性が高められているので、構成材料に金属ではなく樹脂を用いても、十分に必要な剛性を確保することが可能になり、樹脂の使用によって全体の軽量化を促進できる。【００２１】
とくに、本発明に係るシートバック用フレーム構造体においては、少なくとも一部が繊維強化樹脂で構成されていることが望ましい。繊維強化樹脂の採用により、シートバック用フレーム構造体全体の望ましい軽量化と高剛性化の両方を容易に達成できるようになる。中でも、前述の荷重を受け止める斜行フレームの少なくとも一部が繊維強化樹脂で構成されているが好ましい。【００２２】
また、繊維強化樹脂の採用する場合、フレーム部材の少なくとも一部を繊維強化樹脂で構成する構造はもちろんのこと、いずれかのフレーム部材の少なくとも一部の表面部に、一方向に配列された強化繊維を有する繊維強化樹脂製テープが貼設されている構造を採用することも可能である。繊維強化樹脂製テープを貼設する場合には、例えば各フレームの延設方向に強化繊維の繊維方向を一致させるように配置すれば、各フレームの曲げ剛性を効果的に高めることができる。または、延設方向に角度を有して配置した場合には各フレームの捩り剛性を高めることができる。これらの構造は、上記の方法を複数組み合わせることも可能である。要求仕様に応じて、これらのうち任意の構造を採用できる。【００２３】
なお、いずれかの部位に繊維強化樹脂の採用する場合、強化繊維の種類は特に限定されず、炭素繊維、ガラス繊維、アラミド繊維等の他、これら強化繊維の組み合わせも採用可能である。また、マトリックス樹脂としても特に限定されず、熱可塑性樹脂、熱硬化性樹脂、これらの組み合わせのいずれも採用可能である。【００２４】
さらに、本発明に係るシートバック用フレーム構造体は、シートベルトリトラクタとシートベルトガイドを有するシートバックの内部に設けられるフレーム構造体であれば特に限定されないが、例えば、可倒式のシートバックの内部に設けられるものに適用できる。
【発明の効果】
【００２５】
このように、本発明に係るシートバック用フレーム構造体によれば、上部のシートベルトガイド設置部に対し斜行フレームと縦フレームとを有する構成により、とくにフレーム構造体に前方ないし前方斜めにかかる荷重に対して効果的にフレーム構造体の剛性を向上できるとともに、容易にフレーム構造体の軽量化をはかることができる。
【図面の簡単な説明】
【００２６】
【図１】本発明の基本形態を示す一実施態様に係るシートバック用フレーム構造体の概略斜視図である。
【図２】本発明の基本形態を示す別の実施態様に係るシートバック用フレーム構造体の概略斜視図である。
【図３】本発明の一実施態様に係るシートバック用フレーム構造体の概略斜視図である。
【図４】本発明の別の実施態様に係るシートバック用フレーム構造体の概略斜視図である。
【図５】本発明のさらに別の実施態様に係るシートバック用フレーム構造体の概略斜視図である。
【図６】本発明のさらに別の実施態様に係るシートバック用フレーム構造体の概略斜視図である。
【発明を実施するための形態】
【００２７】
以下に、本発明の実施の形態について、図面を参照しながら説明する。
図１は、本発明の基本形態を示す一実施態様に係るシートバック用フレーム構造体を示している。図１に示すシートバック用フレーム構造体１はシートバック３（あるいはシートバック用クッション体）の内部に設けられるフレーム構造体として構成されている。このシートバック用フレーム構造体１の一部にシートベルトリトラクタ２が取り付けられ、シートベルトリトラクタ２によりシートベルトガイド５を介してシートベルト９が巻取りおよび巻出しが行われ乗員が支持される構造となっている。このシートバック用フレーム構造体１は、シートバック３の下部のシート幅方向Ｘ−Ｘの一端側に位置する第１支持点４から上方のシートベルトガイド５の設置部に向けて斜行して延びる斜行フレーム６と、シートバック３の下部のシート幅方向Ｘ−Ｘの他端側に位置する第２支持点７から上方に向けて延び上端が斜行フレーム６に接続された縦フレーム８とからなる構造に構成されている。第１支持点４には図示しないシートバック３のリクライニング機構が取付けられており、シートバックが第１支持点４と第２支持点７を結ぶシートバック回転軸１０を中心に可倒式に傾斜角を変更および固定できるように構成されている。また、第２支持点７は回転軸１０周りの回転移動のみ可能なようにフレーム構造体１を支持している。上記シートバック用フレーム構造体１は、好ましくはその全体が繊維強化樹脂、例えば炭素繊維強化樹脂からなり、全体が一体成形体として構成されている。
【００２８】
このような本実施態様に係るシートバック用フレーム構造体１においては、上部のシートベルトガイド５の設置部からフレーム構造体１に車両衝突時にシートベルトによりシート前方あるいは前方斜めに荷重Ｆがかかる場合、第１支持点４では回転軸１０まわりの回転移動がリクライニング機構により拘束されているため、フレーム構造体に車両前方方向の曲げ変形と同時に捩り変形を生じる。この変形は、第１支持点４から上方のシートベルトガイド５に向けて斜行して斜行フレーム６が延びるため、荷重Ｆを効果的に支持することができ、フレーム構造体１の剛性を効果的に高められる。また、縦フレーム８によって、荷重Ｆの前方方向成分の荷重を斜行フレーム６と共に支持することができる。さらに、斜行フレーム６と縦フレーム８とでフレーム構造体１が構成されているので、フレーム構造体１全体としての剛性が、少ないフレーム部材数にて、効率よく高められ、かつ、その少ないフレーム部材数の構成により、同時に、フレーム構造体１の軽量化が達成されている。
【００２９】
このような本発明に係るシートバック用フレーム構造体は、さらに、以下のような種々の形態を採り得る。例えば図２に示す本発明の基本形態を示す別の実施態様では、シートバック用フレーム構造体１１は、図１に示した形態と同様に、斜行フレーム６と縦フレーム８が上部のシートベルトガイド設置部５ａで接合された構造を有しているが、さらに、縦フレーム８から斜行フレーム６まで延びる補強フレーム１２が設けられている。この補強フレーム１２も繊維強化樹脂から構成でき、フレーム構造体１１の全体を一体成形することが可能である。補強フレーム１２の存在によって、斜行フレーム６、さらにはフレーム構造体１１の全体の剛性がさらに高められる。
【００３０】
図３に本発明の一実施態様に係るシートバック用フレーム構造体を示す。図３に示す実施態様では、シートバック用フレーム構造体２１の斜行フレーム２２は、シート前後方向に前側に位置する第１フレーム２３と後側に位置する第２フレーム２４の前後２本のフレーム部材から構成されており、縦フレーム８からは斜行フレーム２２の第１フレーム２３まで延びる補強フレーム２５が設けられている。また、第１フレーム２３は、シート側方からみてシート前方向に凸状に湾曲している構造に構成されている。このような構成においては、斜行フレーム２２を互いに離間した第１フレーム２３と第２フレーム２４とから構成することにより、斜行フレーム２２としての剛性を一層効率よく高めることが可能になる。また、そのうち斜め荷重による曲げ変形を支持する第１フレーム２３をシート前方向に凸状に湾曲している構造に構成することにより、第１フレーム２３の軽量化、ひいては斜行フレーム２２の軽量化をはかりつつ、その剛性を効率よく増大させることが可能となる。
【００３１】
また、図４に示す実施態様では、シートバック用フレーム構造体２１の斜行フレーム２２は、シート前後方向に前側に位置する第１フレーム２３と後側に位置する第２フレーム２４の前後２本のフレーム部材から構成されているが、縦フレーム８からは斜行フレーム２２の第１フレーム２３と第２フレーム２４のそれぞれまで延びる補強フレーム２５、２６が設けられている。また、第１フレーム２３は、シート側方からみてシート前方向に凸状に湾曲している構造に構成されている。このような構成においては、斜行フレーム２２を互いに離間した第１フレーム２３と第２フレーム２４とから構成することにより、斜行フレーム２２としての剛性を一層効率よく高めることが可能になる。また図３に示した構造に比べ、第１フレーム２３と第２フレーム２４の両方に対してそれぞれ補強フレーム２５、２６を設けることにより、前述の如く、斜行フレーム全体としての剛性を構造的に高く保ちつつ斜行フレーム全体としての重量を軽減することが可能になるとともに、各フレーム部材の主機能を分離することが可能になる。また、図示例では、各補強フレーム２５、２６が、第１フレーム２３および第２フレーム２４に対しそれぞれの延設方向中間位置よりも上方位置で接続されている構造とされているので、第１フレーム２３と第２フレーム２４の変形をさらに効果的に抑制することができる。
【００３２】
また、図５に示す実施態様では、シートバック用フレーム構造体３１の斜行フレーム３２は、延設方向の中間位置まで第１フレーム３３と第２フレーム３４の前後２本のフレーム部材で構成されているが、その中間位置からは合一されて一本の上部フレーム３５として構成されている。そして、図示例では、縦フレーム８から延びる補強フレーム３６が、第１フレーム３３と第２フレーム３４の合一部またはその近傍部位に接続されている。このような構成においては、より高剛性が必要な箇所では第１フレーム３３と第２フレーム３４の２本のフレーム部材構成として高剛性構造を達成しつつ、より低い剛性で済むと考えられる斜行フレーム３２の上部部分については合一された上部フレーム３５として、軽量化をはかることが可能である。
【００３３】
また、図６に示す実施態様では、シートバック用フレーム構造体４１は、図３に示した形態と同様に、斜行フレーム４２が、第１フレーム４３と第２フレーム４４の前後２本のフレーム部材から構成されており、縦フレーム８からは斜行フレーム４２の第２フレーム４４まで延びる補強フレーム４５が設けられている。このフレーム構造体４１の表面部に、一方向に配列された強化繊維を有する繊維強化樹脂製テープ４６（一方向繊維強化樹脂製テープ）が貼設されている。繊維強化樹脂製テープ４６を例えば各フレームの延設方向に繊維方向が沿うように貼設することにより、フレーム構造体４１の剛性を効率よく容易に補強することが可能である。なお、図６に示す実施態様では、フレームの全面を覆うように繊維強化樹脂製テープ４６が貼設されているが、フレームの対象とする一部分に貼設する方法を採ることもできる。また、一方向繊維強化樹脂製テープの少なくとも一部がフレーム構造体４１の樹脂層内に埋め込まれていてもよく、さらには、一方向繊維強化樹脂製テープ全体が樹脂層内に埋め込まれた形態、換言すれば、一方向繊維強化樹脂製テープの表面が樹脂層で被覆された形態であってもよい。
【００３４】
このように、本発明においては、斜行フレームや補強フレーム、さらには各部の補強形態等について、各種の形態を採り得る。
【産業上の利用可能性】
【００３５】
本発明は、上部にシートベルトガイドを有するあらゆるシートバック用フレーム構造体に適用可能である。
【符号の説明】
【００３６】
１、１１、２１、３１、４１  シートバック用フレーム構造体
２  シートベルトリトラクタ
３  シートバック
４  第１支持点
５  シートベルトガイド
５ａ  シートベルトガイド設置部
６、２２、３２、４２  斜行フレーム
７  第２支持点
８  縦フレーム
９  シートベルト
１０  回転軸
１２、２５、２６、３６、４５  補強フレーム
２３、３３、４３  第１フレーム
２４、３４、４４  第２フレーム
３５  上部フレーム
４６  繊維強化樹脂製テープ
【図１】
0005915544.tif 000002
【図２】
0005915544.tif 000003
【図３】
0005915544.tif 000004
【図４】
0005915544.tif 000005
【図５】
0005915544.tif 000006
【図６】
0005915544.tif 000007